(57)【要約】【課題】高層の建物内に配設されている消火用配管設備の耐圧検査を建物外に設置している連結送水管の送水口からの給水によって簡単且つ確実に行うことができるようにする。【解決手段】建物内の各階に施工されている消火用配管設備に接続して建物外に設置されている連結送水管の送水口２０に、該送水口開放用装置本体１の接続口３を接続し、この装置本体１の中心部に貫通状態で進退自在に配設している押圧棒６をハンドル操作によって前進させてその先端で上記送水口２０内の逆止弁２７をスプリング２９の力に抗して押し開き、この状態を保持して装置本体１に設けている給水導入口８に手押ポンプ車等の簡易給水装置のホースを接続したのち、該ホースを通じて水を装置本体１内から送水口２０に供給し、上記建物内の消火用配管設備に充満させるように構成している。【選択図】    図２
2004329672.tif 000002
【特許請求の範囲】
【請求項１】
建物外に設置されて建物の各階の消火用配管設備に接続している送水口の開放装置であって、装置本体はその一端部に上記送水口に着脱自在に連結させるための接続口を設けていると共に、該接続口に連通して外部からこの接続口に給水を供給する給水導入口を設けてあり、さらに、装置本体の中心部に上記接続口の中心部から突出してその先端で上記送水口内に配設している逆止弁をスプリング力に抗して開弁させる押圧棒を進退自在に配設していることを特徴とする消火用配管設備の送水口開放装置。
【請求項２】
装置本体の中心部に螺筒部を形成してこの螺筒部の中心螺子孔に押圧棒を進退自在に螺通させてあり、この押圧棒の基端部を装置本体から突出させてその突出端にハンドル体を固着していることを特徴とする請求項１に記載の消火用配管設備の送水口開放装置。
【請求項３】
消火用配管設備の送水口開放用装置本体に設けている接続口を送水口に接続したのち、この装置本体の中心部に螺通している押圧棒をハンドル操作によって回転させることにより上記接続口から該押圧棒を送水口内に進めてその先端面で送水口内に設けている逆止弁をスプリングに抗して開放させ、この状態にして装置本体に設けている給水導入口に給水管を接続してこの給水管からの水を接続口から上記押圧棒により開放されている送水口を通じて建物内に配設されている消火用配管設備内に充満させることを特徴とする消火用配管設備の耐圧検査方法。
【請求項４】
給水導入口に水を供給する手段は手押しポンプ等の簡易給水装置であることを特徴とする請求項３に記載の消火用配管設備の耐圧検査方法。
【発明の詳細な説明】
【０００１】
【発明の属する技術分野】
本発明は、高層ビル等の建物の各階に配設されている全ての消火用配管設備を定期的に検査する際に使用する送水口開放装置と、この送水口開放装置を用いた消火用配管設備の耐圧検査方法に関するものである。
【０００２】
【従来の技術】
高層ビル等の建物内の各階には消火用配管設備が配設されている一方、建物外の近傍部にはこれらの消火用配管設備に接続した上端に送水口を有する連結送水管が設置されてあり、火災発生時にはこの連結送水管の送水口に消防車の消火用ホースを連結して消火水を該連結送水管から上記消火用配管設備に供給し、スプリンクラーヘッド等の放水口から室内に消火水を放水して消火するように構成している（例えば、特許文献１参照）。
【０００３】
【特許文献１】
特開平８−４０６０号公報（第２頁、第２、３図）。
【０００４】
【発明が解決しようとする課題】
しかしながら、上記消火設備としての連結送水管や消火用配管設備等は火災が発生しない限り消火水を通水させることはないので、長年、そのままにしておくとパッキンやゴム環等が劣化したり、さらには、地震等により亀裂や継手不良部分などが生じているため、万一、火災が発生した時には上記連結送水管を通じて消火用配管設備に消火水を供給しようとしても弁の開放が困難となったり、消火水の供給が行えても消火用配管設備の継手部等から漏水したり、消火水の大きな送水圧力によってパッキン部分等が破損したりして、消火活動が行えなくなる虞れがある。
【０００５】
このため、定期的に連結送水管や消火用配管設備内に水を圧送して漏水等が生じないか耐圧試験を行う必要がある。この場合、消防自動車を使用してそのホースを連結送水管の送水口に連結したのち、ポンプを作動させて圧力水を送水口内に供給し、その大きな送水圧で送水口内の逆止弁をスプリング力に抗して開放させて連結送水管から建物の各階に配設している上記消火用配管設備内に給水すれば、連結送水管や消火用配管設備等が正常であるかどうかの検査が可能であるが、消防自動車を使用することは大掛かりなものになって準備作業等に手間を要するばかりでなく、消火用配管設備等が漏水したり、或いは、送水圧によって劣化部分が破損して水が噴出した場合、送水を直ちに停止させることが困難であり、建物内が大きな被害を被るといった問題点が生じることになる。
【０００６】
一方、上記連結送水管と消火用配管設備との間には手動開閉弁を介して排水管が接続されてあり、この排水管に手押しポンプ車等の簡易給水装置のホースを接続し、手動開閉弁を開放したのち排水管に給水すれば、上記のような連結送水管の送水口内の逆止弁のように、そのスプリングの力に抗して開放状態を保持しながら給水できるだけの大きな送水圧を必要とすることなく、低圧の送水圧でもって消火用配管設備内に水を充満させて耐圧試験を行うことができるが、この方法では、連結送水管の排水口から消火用配管設備に至るまでの管路の耐圧試験を行うことができないという問題点がある。
【０００７】
本発明のこのような問題点に鑑みてなされたもので、その目的とするところは、連結送水管の送水口内に設けている逆止弁を開放状態に保持しながら、手押しポンプ等の簡易ポンプによって水を連結送水管を通じて建物内の消火用配管設備の全ての配管に供給、充満させて簡単に耐圧試験を行えることができる、消火用配管設備の送水口開放装置とこの送水口開放装置を用いた消火用配管設備の耐圧検査方法を提供するにある。
【０００８】
【課題を解決るための手段】
上記目的を達成するために、本発明の消火用配管設備の送水口開放装置は、請求項１に記載したように、建物外に設置されて建物の各階の消火用配管設備に接続している送水口の開放装置であって、装置本体はその一端部に上記送水口に着脱自在に連結させるための接続口を設けていると共に、該接続口に連通して外部からこの接続口に給水を供給する給水導入口を設けてあり、さらに、装置本体の中心部に上記接続口の中心部から突出してその先端で上記送水口内に配設している逆止弁をスプリング力に抗して開弁させる押圧棒を進退自在に配設した構造としている。
【０００９】
このように構成した消火用配管設備の送水口開放装置において、請求項２に係る発明は、装置本体の中心部に螺筒部を形成してこの螺筒部の中心螺子孔に上記押圧棒を進退自在に螺通させてあり、さらに、この押圧棒の基端部を装置本体から突出させてその突出端にハンドル体を固着していることを特徴とする。
【００１０】
また、請求項３に係る発明は、上記送水口開放装置を用いた消火用配管設備の耐圧検査方法であって、消火用配管設備の送水口開放用装置本体に設けている接続口を送水口に接続したのち、この装置本体の中心部に螺通している押圧棒をハンドル操作によって回転させることにより上記接続口から該押圧棒を送水口内に進めてその先端面で送水口内に設けている逆止弁をスプリングに抗して開放させ、この状態にして装置本体に設けている給水導入口に給水管を接続してこの給水管からの水を接続口から上記押圧棒により開放されている送水口を通じて建物内に配設されている消火用配管設備内に充満させることを特徴とする。
【００１１】
さらに、請求項４に係る発明は、上記請求項３に記載において、装置本体に設けている給水口に圧力水を供給する手段として、手押しポンプ等の小型ポンプを備えた簡易給水装置を使用することを特徴としている。
【００１２】
【作用】
装置本体の接続口を建物内の消火用配管設備に連結、連通している建物外の連結送水管の送水口に接続すると、この装置本体に設けている押圧棒の先端が連結送水管の送水口内に配設している逆止弁に対向した状態となる。この状態にして装置本体から突出している押圧棒の基端部をハンドル操作等によって回転させると、押圧棒は装置本体内において螺筒部に螺通、支持されているので、回転に従って長さ方向に移動してその先端を逆止弁に当接させたのち、該逆止弁を閉止しているスプリング力に抗してこの逆止弁を開放させる。しかるのち、この押圧棒の回転操作を停止すると、該押圧棒はその先端を逆止弁に押し付けた状態を維持し、従って、逆止弁はスプリング力に抗して開放した状態に保持される。
【００１３】
この状態にして、装置本体に設けている給水導入口に手押しポンプ等の簡易給水装置の給水ホースを接続し、この給水ホースを通じて、該給水導入口に水を供給すると、装置本体の上記接続口はこの給水導入口に連通しているので、供給水は該接続口から上記押圧棒によって開弁状態に保持されている連結送水管の送水口内を通過し、連結送水管内から建物内の各階に配設されている消火用配管設備の全ての配管内に給水、充満する。
【００１４】
この際、連結送水管の送水口に設けている逆止弁は、上述したように押圧棒によってスプリング力に抗して開放させられた状態を維持しているので、上述したような手押しポンプ等の比較的給水圧が低い給水手段であっても、給水が送水口を連続的に通過して消火用配管設備の各配管側に円滑に上昇、流入し、該配管内に充満して配管に地震や経年劣化などによる継手部等からの漏れが生じないか等の検査や耐圧試験を行うことができる。
【００１５】
【発明の実施の形態】
次に、本発明の実施の形態を図面について説明すると、図１は送水口開放装置Ａの一部縦断側面図であって、この装置本体１は截頭円錐形状に形成している頭部２の大径側一端部に連結送水管Ｂの上端の送水口２０（図２、図３に示す）に着脱自在に連結、連通させる短筒形状の接続口３を一体に設けてなる形状を有し、頭部２の小径部内面から上記接続口３内の中心部に向かって小径の螺筒部４を一体に突設していると共に頭部２の小径部における中心部に上記螺筒部４の中心に貫通形成している螺子孔４ａと同一中心線上にして内外間に貫通した支持孔５を設けてある。
【００１６】
さらに、この支持孔５から上記螺筒部４に装置本体１の長さよりも長い直状の押圧棒６を挿通、支持させてその長さ方向の中間部に設けている螺子部６ａを上記螺子孔４ａに螺通させていると共に、この押圧棒６の先端部を上記接続口３の開口中心部から外部に突出させている一方、装置本体１の上記支持孔５から突出している該押圧棒６の基端部にハンドル体７を一体に固着させてあり、このハンドル体７を回動操作することによって、押圧棒６を上記送水口２０内に向かって前進させ、その先端で送水口２０を開閉自在に閉止している逆止弁２７をスフリング２９の力に抗して開放させ、その状態を維持させるように構成している。なお、支持孔５の内周面には押圧棒６の外周面に密接したリング状のシール材１０が装着されている。
【００１７】
また、上記接続口３の周壁の一部に小径筒状の給水導入口８を一体に設けていて、該給水導入口８を接続口３内に連通させていると共に、この給水導入口８にコックからなる開閉弁９を配設している。なお、この開閉弁９を設けた給水導入口８は、図においては接続口の２個所に設けているが、１個所のみに設けておいてもよい。
【００１８】
上記連結送水管Ｂの上端に連結、連通している上記送水口２０の構造としては、一般に、図２に示すように送水口開放装置Ａを差し込むことによって接続させる差し込み式送水口と、図４に示すように螺合させることによって接続させる螺子式送水口とがある。
【００１９】
送水口２０は、周知のように連結送水管Ｂの上端に連結、連通した中空頭部２１に外部に向かって開口している開口部２２が設けられてあり、該開口部２２に横向き短筒形状の受け金具２３を螺着している。この受け金具２３の長さ方向の中央部には環状の弁座２４が設けられていて該弁座２４で囲まれた空間部を送水口部２５に形成していると共にこの送水口部２５から上記中空頭部２１内に突出している該受け金具２３の周壁部の下部に中空頭部２１に連通した通孔２６を設けてあり、さらに、受け金具２３の周壁部内に逆止弁２７を内外方向に摺動自在に配設してこの逆止弁２７の中空頭部２１側の面と受け金具２３の突出端に一体に設けているスプリング受け２８との間にスプリング２９を圧入して該スプリング２９による一定の圧力でもって逆止弁２７を上記弁座２４に圧着させてなる構造を有している。
【００２０】
このように構成している送水口２０において、差し込み式送水口は、中空頭部２１から外部に突出している上記受け金具２３の内周面にパッキン３０を装着していると共に該受け金具２３の外周面に締め環３１を螺合させてあり、受け金具２３から外部に突出しているこの締め環３１の突出部内周面にバネ３２によって常時中心側に向かって付勢されている係止爪３３を装着してなる構造としている。なお、係止爪３３はその内周面を締め環３１の開口端側から逆止弁２７側に向かって斜め内方に傾斜している傾斜面３３ａ  に形成している。
【００２１】
一方、この差し込み式の送水口２０に上記送水口開放装置Ａの接続口３を連結させるように構成するには、接続口３の内周面に、先端部の外径が上記締め環３１内を通じて受け金具２３のパッキン３０に密接可能な径に形成された接続筒１１の基端部を螺合させていると共に、この接続筒１１の上記大径の先端部の基端を垂直な係止端面１２に形成して該係止端面１２から接続口３に螺合している基端間の外周面を小径に形成してあり、この小径外周面に基端側にフランジ部１３ａ  を突設している環体１３を摺動自在に被嵌してなる構造を有している。
【００２２】
そして、接続筒１１の先端部を上記締め環３１から受け金具２３内に差し込んで該接続筒１１の上記係止端面１２に上記係止爪３３を係止させることにより、送水口開放装置Ａを連結送水管Ｂの送水口２０に接続するように構成している一方、上記環体１３を送水口２０に向かって押し進めてその先端面を上記係止爪３３の傾斜面３３ａ  に押し付け、該係止爪３３を拡径方向に移動させることにより、送水口開放装置Ａを消火用配管Ｂの送水口２０から取り外すように構成している。
【００２３】
他方、螺子式の送水口２０’  は図４に示すように、中空頭部２１から外部に突出している上記受け金具２３の外周面に締め環３１’  の一端部を回動自在に被嵌していると共に受け金具２３から突出している該締め環３１’  の内周面に雌螺子部３４を設けてあり、さらに、締め環３１’  の内周面中央部に上記受け金具２３の突出端面に接してリング状のパッキン３５を装着してなるものである。
【００２４】
この螺子式送水口２０’  に上記送水口開放装置Ａの接続口３を連結させるように構成するには、接続口３の内周面に、先端部の外周面に上記締め環３１’  の雌螺子部３４に螺合する雄螺子部１１ａ  を形成している接続筒１１’  の基端部を螺合させてなる構造を有している。
【００２５】
そして、接続筒１１’  の外周雄螺子部１１ａ  を上記締め環３１’の雌螺子部３４に螺合させることにより、送水口開放装置Ａを連結送水管Ｂの送水口２０’  に接続するように構成している一方、上記締め環３１’  を回動させてこの締め環３１’  の雌螺子部３４と接続筒１１’  の外周雄螺子部１１ａ  との螺合を解くことにより、送水口開放装置Ａを連結送水管Ｂの送水口２０’  から取り外すように構成している。なお、いずれの送水口開放装置Ａにおいても、押圧棒６は、接続筒１１、１１’  の開口端から外部に突出させて逆止弁２７を開放させることができる長さに形成されている。
【００２６】
次に、上記のように構成した送水口開放装置Ａを用いて、図５に示すように、高層の建物の各階に配設されている消火用配管設備Ｃの耐圧検査を行う方法について説明する。図５において、建物に配設されている消火用配管設備Ｃは、建物外の適所に設置されている連結送水管Ｂの下端に地中配管等を通じて連結、連通してあり、連結送水管Ｂの上端には２つの送水口２０、２０又は２０’  、２０’  が設けられている。
【００２７】
まず、連結送水管Ｂの送水口２０、又は２０’  に送水口開放装置の本体１の接続口３を連結する。この際、差し込み式送水口２０の場合には、上述したように装置本体１に接続筒１１と、この接続筒１１に摺動自在に被嵌している環体１３とを備えている送水口開放装置を使用し、図２に示すように、この装置本体１の接続筒１１の先端部を送水口２０の開口端に設けている締め環３１から受け金具２３内に差し込んで該接続筒１１の係止端面１２に締め環３１の内周面に設けている係止爪３３を係止させることにより、この送水口開放装置Ａを連結送水管Ｂの送水口２０に接続させる。
【００２８】
一方、螺子式送水口２０’  の場合には、上述したように装置本体１の接続口３に、先端部の外周面に雄螺子部１１ａ  を形成している接続筒１１’  を連結している送水口開放装置を使用し、図４に示すように、この装置本体１の上記接続筒１１’  の外周雄螺子部１１ａ  を送水口２０’  の開口端に設けている締め環３１’  の雌螺子部３４に螺合させることにより、送水口開放装置Ａを連結送水管Ｂの送水口２０’  に接続させる。
【００２９】
さらに、装置本体１の給水導入口８に手押しポンプ車Ｄからの給水ホースｄを接続する（図２参照）。この際、装置本体１に給水導入口８が二つ設けられている場合には、もう一方の給水導水口８には水道の蛇口に接続したホースｅを接続しておく。しかるのち、ハンドル体７を回動操作して押圧棒６の先端部を送水口２０の受け金具２３内に進入させ、この受け金具２３に設けている弁座２４に圧着して送水口２０を閉止している逆止弁２７に当接させる。この状態からさらにハンドル体７を回動操作して押圧棒６を受け金具２３の奥深くまで進入させると、この押圧棒６の進入力によって逆止弁２７がスプリング２９の力に抗して弁座２４から離間する方向に移動し、送水口部２５が開放される。
【００３０】
この状態にしてハンドル体７の回動操作を停止すると、逆止弁２７が押圧棒６の先端面で受止されて送水口部２５を開放した状態に維持する。次いで、まず、水道の蛇口側からのホースｅを接続している給水導入口８側の開閉弁９を開いたのち水道水を供給すると、水道水は給水導入口８から接続口３内を通じて、押圧棒６により開放を維持されている送水口部２５を通過し、この送水口部２５と連通している通孔２６から送水口２０の中空頭部２１内に流入し、連結送水管Ｂ内を流下して建物内の各階の消火用配管設備Ｃ内に流入、充満する。
【００３１】
水道水は高さが３０ｍ程度の高さまで上昇することができる水圧を有しており、従って、建物がその高さ以下であれば、水道水からの給水によって建物の各階に配設している全ての消火用配管設備Ｃの配管内に水を供給、充満させることができるが、建物の高さが３０ｍ以上であれば、上層階の消火用配管設備Ｃまで給水することができないため、水道水よりも高い水圧でもって給水することができる上記手押しポンプ車Ｄを使用する。
【００３２】
即ち、上記水道水による消火用配管設備Ｃへの給水に引き続いて手押しポンプ車Ｄからの給水ホースｄを接続させている給水導入口８の開閉弁９を開放させたのち、手押しポンプ車Ｄのポンプを作動させて給水ホースｄを通じて装置本体１の接続口３から、押圧棒６によって開放されている送水口部２５を通じて送水口２０の中空頭部２１内に流入させ、さらに、連結送水管Ｂ内を通じて上記建物内の全ての階の消火用配管設備Ｃ内に所定圧の水を流入、充満させ、これらの配管の漏水の有無等による耐圧試験を行うものである。
【００３３】
なお、水道水を供給することなく、最初から手押しポンプ車Ｄのみによる送水口開放装置Ａを通じての消火用配管設備Ｃ内への給水作業を行てもよく、この場合は装置本体１に１つの給水導入口８を設けておけばよい。また、手押しポンプ車Ｄのような簡易給水装置としては、該手押しポンプ車Ｄよりも高圧の供給水が得られる洗車用等の電動式高圧ポンプを使用してもよい。さらに、送水口開放装置Ａにおける押圧棒６は螺子孔との螺合による進退に限らず、所定の長さ範囲内で押し進めと押し戻しとによって長さ方向に進退させるように構成しておいてもよい。
【００３４】
こうして、建物内に配設されている消火用配管設備Ｃの耐圧試験が終了すると、装置本体１における給水導入口８の開閉弁９を閉じて給水ホースｄ等を取り外すと共に、ハンドル体７を上記とは逆方向に回動操作して押圧棒６を後退させ、それに従って送水口２０内の逆止弁２７をスプリング２９の力により弁座２４に圧着させて送水口２０を閉止させたのち、装置本体１の接続口３を送水口２０から取り外して撤去する。なお、消火用配管設備Ｃの配管内に充満している水は、消火用配管設備Ｃの最下層階側における配管下端に連結、連通している排水管４０の開閉弁４１を開放することによって排除することができる。
【００３５】
【発明の効果】
以上のように本発明によれば、建物外に設置されて建物の各階の消火用配管設備に接続している送水口の開放装置は、その装置本体の一端部に上記送水口に着脱自在に連結させるための接続口を設けていると共に、該接続口に連通して外部からこの接続口に給水を供給する給水導入口を設けてあり、さらに、装置本体の中心部に上記接続口の中心部から突出してその先端で上記送水口内に配設している逆止弁をスプリング力に抗して開弁させる押圧棒を進退自在に配設しているので、この送水口開放装置を送水口に連結したのち、押圧棒を送水口内に進入させることによって、該押圧棒により送水口内の逆止弁をスプリング力に抗して容易に開放させることができると共にその状態で押圧棒の押し込みを停止することにより、逆止弁を開放した状態に保持しておくことができる。
【００３６】
この状態にして装置本体に設けている給水導入口に手押しポンプ等の簡易給水装置の給水ホースを接続し、この給水ホースを通じて、給水導入口に水を供給すれば、上記接続口から上記押圧棒によって開弁状態に保持されている連結送水管の送水口内を通じて建物内の各階に配設されている消火用配管設備の全ての配管内に給水することができ、該配管内を供給水で充満させることができる。
【００３７】
この際、連結送水管の送水口に設けている逆止弁は、上述したように押圧棒によってスプリング力に抗して開放させられた状態を維持しているので、給水圧によって逆止弁をスプリング力に抗して開放させる必要はなく、そのため、上述したような手押しポンプ等の比較的給水圧が低い簡易な給水手段を使用して簡単且つ確実に供給水を消火用配管設備の各配管内に上昇、充満させることができ、配管に地震や経年劣化などによる継手部等からの漏れが生じないか等の検査や耐圧試験を容易に行うことができるものである。
【図面の簡単な説明】
【図１】送水口開放装置の一部縦断側面図、
【図２】送水口に取り付けた状態の縦断側面図、
【図３】連結送水管の正面図、
【図４】送水口開放装置の他の実施の形態を示す一部縦断側面図、
【図５】消火用配管設備全体の簡略図。
【符号の説明】
Ａ  送水口開放装置
１  装置本体
３  接続口
４  螺筒部
４ａ  螺子孔
６  押圧棒
７  ハンドル体
８  給水導入口
９  開閉弁
１１  接続口
Ｂ  連結送水管
２０  送水口
２１  中空頭部
２３  受け金具
２４  弁座
２７  逆止弁
２９  スプリング
【図１】
2004329672.tif 000003
【図２】
2004329672.tif 000004
【図３】
2004329672.tif 000005
【図４】
2004329672.tif 000006
【図５】
2004329672.tif 000007